(57)【要約】【課題】無駄な電力の消費や集塵部の損傷を抑制しながら、吸引力の低下を防止すること。【解決手段】吸引風を発する電動送風機２０を内蔵した本体７と、吸引された塵埃を蓄積する着脱自在な集塵部１０と、集塵部１０を振動により除塵する除塵手段２５と、集塵部１０に蓄積される塵埃の量を検出する塵埃量検出手段２６と、電動送風機２０、除塵手段２５、塵埃量検出手段２６を制御する制御部３４を備えた電気掃除機において、塵埃量検出手段２６の検出結果が所定の塵埃量を検出したときに除塵手段２５を制御することにより、所定の塵埃量を検出する毎に除塵手段２５を制御するため、効果的かつ効率的な除塵ができるとともに、無駄な電力の消費や集塵部の損傷を抑制しながら、吸引力の低下を防止できるものとなる。【選択図】図５
2007319580.tif 000002
【特許請求の範囲】
【請求項１】
吸引風を発する電動送風機を内蔵した本体と、吸引された塵埃を蓄積する着脱自在な集塵部と、前記集塵部を振動により除塵する除塵手段と、前記集塵部に蓄積される塵埃の量を検出する塵埃量検出手段と、前記電動送風機、除塵手段、塵埃量検出手段を制御する制御部を備えた電気掃除機において、前記塵埃量検出手段の検出結果が所定の塵埃量を検出したときに前記除塵手段を制御するようにした電気掃除機。
【請求項２】
塵埃量検出手段により検出された塵埃量に応じて除塵間隔を可変するようにした請求項１記載の電気掃除機。
【請求項３】
集塵部内の塵埃を圧縮する圧縮手段を設け、塵埃量検出手段の検出結果が所定の塵埃量を検出したときに前記圧縮手段を制御するようにした請求項１または２記載の電気掃除機。
【請求項４】
塵埃量検出手段を所定の大きさの塵埃を検出する第１の増幅手段と、前記第１の増幅手段で検出可能な大きさよりも小さい塵埃を検出する第２の増幅手段とで構成し、前記第２の増幅手段での塵埃量検出結果が所定の塵埃量を検出したときに、除塵手段および／または圧縮手段を制御するようにした請求項１〜３のいずれか１項に記載の電気掃除機。
【請求項５】
吸引風を発する電動送風機を内蔵した本体と、吸引された塵埃を蓄積する着脱自在な集塵部と、前記集塵部を振動により除塵する除塵手段と、前記集塵部に蓄積される塵埃の量を検出する塵埃量検出手段と、前記集塵部内の塵埃を凝固させる凝固剤等を噴霧する噴霧手段とを備え、前記塵埃量検出手段の検出結果が所定の塵埃量を検出したときに前記噴霧手段を制御するようにした電気掃除機。
【請求項６】
噴霧手段を動作させ、所定時間経過後に除塵手段を動作させるようにした請求項５記載の電気掃除機。
【請求項７】
電動送風機の駆動停止時に噴霧手段を動作させ、前記電動送風機の起動時に除塵手段を動作させるようにした請求項５記載の電気掃除機。
【発明の詳細な説明】
【技術分野】
【０００１】
本発明は集塵部に付着した塵埃の除塵機能を備えた電気掃除機に関するものである。
【背景技術】
【０００２】
従来、この種の電気掃除機は、集塵室に装着されている集塵袋に塵埃等が付着することで目詰まりが発生し吸い込み力が低下するため、集塵袋を除塵して吸い込み力を回復させるものがある（例えば、特許文献１参照）。
【特許文献１】特開平５−９１９６２号公報
【発明の開示】
【発明が解決しようとする課題】
【０００３】
しかしながら、前記従来の構成では、集塵室に装着されている集塵袋に付着した塵埃を除塵する場合、その除塵動作を使用者が任意に行うものであり、集塵袋内に蓄積された塵埃の量には無関係に除塵動作を行うので、無駄な電力を消費するとともに、集塵袋を損傷させるなどの問題を有していた。また、集塵袋内に塵埃が殆ど蓄積されていない状態や、或いは逆に塵埃が溜まりすぎて除塵しきれない状態等でも除塵動作を行うので、効果的かつ効率的な除塵動作ができないという課題を有していた。
【０００４】
さらに、従来の構成においては、集塵袋に付着した塵埃を除塵した場合に微細な塵埃が集塵袋内で舞い上がり結果として除塵後の集塵袋内の表面に再付着して吸引力の回復し難いという課題をも有するものであった。
【０００５】
また、集塵室内に集塵袋を装着せず、着脱自在な集塵容器内にフィルターを配し、フィルターにより塵埃を濾過して塵埃を蓄積するような遠心分離方式などのバックレス方式の集塵容器を採用した電気掃除機においても、上記同様の課題に加え、集塵部内の蓄積塵埃を廃棄する際に塵埃が舞い上がり不衛生であるという課題も有するものであった。
【０００６】
本発明は、前記従来の課題を解決するもので、無駄な電力の消費や集塵部の損傷を抑制しながら、吸引力の低下を確実に防止できる電気掃除機を提供することを目的とする。
【課題を解決するための手段】
【０００７】
前記従来の課題を解決するために、本発明の電気掃除機は、吸引風を発する電動送風機を内蔵した本体と、吸引された塵埃を蓄積する着脱自在な集塵部と、前記集塵部を振動により除塵する除塵手段と、前記集塵部に蓄積される塵埃の量を検出する塵埃量検出手段と、前記電動送風機、除塵手段、塵埃量検出手段を制御する制御部を備えた電気掃除機において、前記塵埃量検出手段の検出結果が所定の塵埃量を検出したときに前記除塵手段を制御する構成としたものである。
【０００８】
これによって、集塵部内に蓄積される塵埃の量を塵埃量検出手段で検出し、所定の塵埃量を検出する毎に除塵手段を制御するため、効果的かつ効率的な除塵ができるとともに、無駄な電力の消費や集塵部の損傷を抑制しながら、吸引力の低下を防止できるものとなる。
【０００９】
また、本発明の電気掃除機は、吸引風を発する電動送風機を内蔵した本体と、吸引された塵埃を蓄積する着脱自在な集塵部と、前記集塵部を振動により除塵する除塵手段と、前記集塵部に蓄積される塵埃の量を検出する塵埃量検出手段と、前記集塵部内の塵埃を凝固させる凝固剤等を噴霧する噴霧手段とを備え、前記塵埃量検出手段の検出結果が所定の塵埃量を検出したときに前記噴霧手段を制御する構成としたものである。
【００１０】
これによって、集塵部内に蓄積される塵埃の量を塵埃量検出手段で検出し、所定の塵埃量を検出する毎に噴霧手段により蓄積された塵埃に対し凝固剤等を噴霧するため、特に微細な塵埃が固形化されることになり、除塵時における集塵部内での微細な塵埃の舞い上がりによる再付着や塵埃廃棄時における塵埃の舞い上がりを防止でき、吸引力低下の防止と衛生的な塵埃廃棄ができるものとなる。
【発明の効果】
【００１１】
本発明の電気掃除機は、効果的かつ効率的な除塵ができるとともに、無駄な電力の消費や集塵部の損傷を抑制しながら、吸引力の低下を防止することができる。
【発明を実施するための最良の形態】
【００１２】
第１の発明は、吸引風を発する電動送風機を内蔵した本体と、吸引された塵埃を蓄積する着脱自在な集塵部と、前記集塵部を振動により除塵する除塵手段と、前記集塵部に蓄積される塵埃の量を検出する塵埃量検出手段と、前記電動送風機、除塵手段、塵埃量検出手段を制御する制御部を備えた電気掃除機において、前記塵埃量検出手段の検出結果が所定の塵埃量を検出したときに前記除塵手段を制御するようにしたことにより、所定の塵埃量を検出する毎に除塵手段を制御することとなり、効果的かつ効率的な除塵ができるとともに無駄な電力の消費や集塵部の損傷を抑制しながら、吸引力の低下を防止することができる。
【００１３】
第２の発明は、第１の発明において、塵埃量検出手段により検出された塵埃量に応じて除塵間隔を可変するようにしたことにより、検出した塵埃量が少ない場合は集塵部に付着する塵埃も少ないため振動の間隔を長くし、逆に塵埃量が多いと集塵部への付着も多くなるため振動の間隔を短くすることとなり、集塵部に対する損傷を防止することができる。
【００１４】
第３の発明は、第１または第２の発明において、集塵部内の塵埃を圧縮する圧縮手段を設け、塵埃量検出手段の検出結果が所定の塵埃量を検出したときに前記圧縮手段を制御するようにしたことにより、所定の塵埃量を検出する毎に圧縮手段を制御することとなり、効果的かつ効率的な除塵ができるとともに、無駄な電力の消費および集塵部内での塵埃の舞い上がりによる再付着を防止でき、更なる吸引力の低下を防止することができる。
【００１５】
第４の発明は、塵埃量検出手段を所定の大きさの塵埃を検出する第１の増幅手段と、前記第１の増幅手段で検出可能な大きさよりも小さい塵埃を検出する第２の増幅手段とで構成し、前記第２の増幅手段での塵埃量検出結果が所定の塵埃量を検出したときに、除塵手段および／または圧縮手段を制御するようにしたことにより、第２の増幅手段での塵埃量検出結果が所定の塵埃量を検出する毎に除塵手段および／または圧縮手段を制御することとなり、特に微細塵を多く吸引蓄積した場合に、効果的かつ効率的な除塵ができるとともに無駄な電力の消費および集塵部内での塵埃の舞い上がりによる再付着を防止でき、更なる吸引力の低下を防止することができる。
【００１６】
第５の発明は、吸引風を発する電動送風機を内蔵した本体と、吸引された塵埃を蓄積する着脱自在な集塵部と、前記集塵部を振動により除塵する除塵手段と、前記集塵部に蓄積される塵埃の量を検出する塵埃量検出手段と、前記集塵部内の塵埃を凝固させる凝固剤等を噴霧する噴霧手段とを備え、前記塵埃量検出手段の検出結果が所定の塵埃量を検出したときに前記噴霧手段を制御するようにしたことにより、所定の塵埃量を検出する毎に噴霧手段を制御することとなり、除塵時における集塵部内での微細な塵埃の舞い上がりによる再付着や塵埃廃棄時における塵埃の舞い上がりを防止でき、吸引力低下の防止と衛生的な塵埃廃棄ができるものとなる。
【００１７】
第６の発明は、第５の発明において、噴霧手段を動作させ、所定時間経過後に除塵手段を動作させるようにしたことにより、噴霧手段で微細塵を含む塵埃を固形化後に除塵手段による除塵を行うため、集塵部からの除塵の確実性向上および除塵時における集塵部内での微細な塵埃の舞い上がりによる再付着や塵埃廃棄時における塵埃の舞い上がりを防止でき、吸引力低下の防止と衛生的な塵埃廃棄ができるものとなる。
【００１８】
第７の発明は、第５の発明において、電動送風機の駆動停止時に噴霧手段を動作させ、前記電動送風機の起動時に除塵手段を動作させるようにしたことにより、掃除の終了である電動送風機の停止時に噴霧手段により塵埃を固形化し、次回の掃除開始時に除塵手段により集塵部の除塵がなされるため、塵埃の集塵部からの剥離性が向上し、除塵時における集塵部内での微細な塵埃の舞い上がりによる再付着や塵埃廃棄時における塵埃の舞い上がりを防止でき、吸引力低下の防止と衛生的な塵埃廃棄ができるものとなる。
【００１９】
以下、本発明の実施の形態について、図面を参照しながら説明する。なお、この実施の形態によって本発明が限定されるものではない。
【００２０】
（実施の形態１）
図１〜図８を参照しながら説明する。図１は本発明の実施の形態１における電気掃除機の全体斜視図を示す。図２は電気掃除機本体の断面図。図３は除塵手段の構成図。図４は除塵手段の動作説明図である。図５は電気掃除機の制御ブロック図である。図６は集塵室体内に塵埃が付着したときの概要図である。図７は塵埃量検出手段のパルスカウント数と吸引力の関係図である。図８は塵埃量と電動送風機に流れる電流量との関係図である。
【００２１】
図１において、電気掃除機１は延長管２に接続した被掃除面上の塵埃を吸引する床用吸込具３を有し、該延長管２は手元ハンドル４とホース継手５付きのホース６とを介して掃除機本体７（以下、本体７とする）に連結されている。本体７は、底面に枢支された１個の前輪キャスター８と、本体７の後部両側面に回転自在に取り付けた一対の後輪９とを備えている。
【００２２】
図２に示すように、本体７の内部前方には着脱可能な集塵部１０（本実施の形態では集塵袋１０ａ）を収容する集塵部収容部１１が形成され、上本体１２に回動自在に軸支された蓋体１３で開閉自在に覆われている。集塵部収容部１１の前方部には集塵袋１０ａに形成した支持部１４に密着した吸気口弁１５を挟持して前蓋１６が取り付けられている。前蓋１６の略中央には吸気口１６ａが集塵部収容部１１に連通して一体に形成され、ホース継手５が着脱自在に接続される。
【００２３】
集塵部収容部１１の後方には、隔壁１７にて集塵部収容部１１と前後に区画された電動送風機室１８、コードリール室（図示せず）が並列に形成されている。前記電動送風機室１８とコードリール室は後輪９を取り付けた下本体１９に形成され、上本体１２と電動送風機２０に吸引された気流の出口を形成したリヤカバー（図示せず）とで外郭を構成している。電動送風機室１８内には、電動送風機２０の動作時の振動を本体７へ直接伝播しないように前支持ゴム２１と後支持ゴム２２で前後を保持した電動送風機２０が収容されている。また、電動送風機２０前方の隔壁１７には通気孔２３が形成されていて、電動送風機２０と集塵部収容部１１を連通している。そして、通気孔２３の集塵部収容部１１側には集塵袋１０ａを除塵するための除塵板２４を形設し、その下方には前記除塵板２４を振動させるための除塵手段２５を配設している。また、ホース継手５内には吸引空気に含まれる塵埃の量を検出する塵埃量検出手段２６を備えるものである。
【００２４】
図３において、除塵手段２５は集塵袋１０ａを振動させる振動子２７と、振動子２７を動作させる電磁石２８で構成される。電磁石２８はコイル２９とコア３０とで形成され、振動子２７に近接して配設され、磁界によって振動子２７を図３の左右方向に振動させるようになっている。除塵制御手段３１は、電磁石２８に流れる電流を制御する制御回路（図示せず）で構成される。
【００２５】
このときの動作として図４（ａ）に示すように、除塵制御手段３１の制御回路はコイル２９に商用電源の交流電圧をダイオードなどの整流手段（図示せず）で半波整流した電圧を加える。印加された電圧は半波整流された電圧であるのでコイル２９に流れる電流は断続的なものとなり、電磁石２８から発生される磁界も断続的なものとなる。これにより、電磁石２８は振動子２７を左右方向に往復運動させ、振動子２７に振動を与え、振動子２７は除塵板２４を介して集塵袋１０ａを叩いて振動させ、集塵袋１０ａ内面に付着している塵埃を除塵することができるものである。
【００２６】
なお、集塵部内に集塵袋１０ａを装着せず、着脱自在な集塵容器１０ｂ内にフィルター３２を配し、フィルター３２により塵埃を濾過して塵埃を蓄積するような遠心分離方式などのバックレス方式の集塵容器１０ｂを採用した場合には、フィルター３２を除塵坂２４で直接叩くことによってフィルター３２の内表面に付着した塵埃を除塵する（図６参照）。
【００２７】
この動作により、吸引力低下の原因になるフィルター３２に付着した塵埃の除塵を重点的に行うことができる。
【００２８】
また、図４（ｂ）、（ｃ）のようにコイル２９に印加する電圧を１半波毎、２半波毎、３半波毎と可変させることによって振動子２７に与えることのできる振動の間隔を可変させることもできる。
【００２９】
また、位相制御等によりその導通角を可変させてコイル２９に印加する電圧を変化させることで振動量（叩き加減）を可変することも可能となる。
【００３０】
図５において、３３は電動送風機２０を駆動させるための駆動手段であり、双方向サイリスタなどで構成されているものである。３４は制御手段であり、電気掃除機１の動作（吸引力調整等）、除塵制御手段３１および塵埃量検出手段２６を制御するものである。３１は除塵制御手段であり、コイル２９に印加する電圧を制御するものである。２６は塵埃量検出手段であり、床用吸込具３、延長管２、ホース６の吸引流路内を通過する塵埃の量を検出するものである。塵埃量検出手段２６は、赤外発光ダイオード３５とフォトトランジスタ３６とで構成された塵埃感知部３７と、塵埃感知部３７の出力信号を増幅する増幅部３８を有し、所定の増幅率をもって検出信号を判定出力するようになっている。塵埃感知部３７を通過した塵埃は、その大きさと通過速度により赤外発光ダイオード３５が発光しフォトトランジスタ３６が受光する光を遮り、遮った間はフォトトランジスタ３６の受光量が無い状態となる。即ち、塵埃量検出手段２６は塵埃が通過中には出力を出さないということになる。これにより塵埃感知部３７で検出される塵埃の信号はパルス状のものとなり、そのパルス信号を増幅部３８で増幅し制御手段３４へ出力することで塵埃量を検出、判断するものである。
【００３１】
以上のように構成された電気掃除機について、以下その動作、作用を説明する。
【００３２】
まず、使用者が手元ハンドル４に配設された操作部（図示せず）を操作すると、制御手段３４により駆動手段３３を介して電動送風機２０が動作し、吸引力が発生する。被掃除面上の塵埃は吸引風と共に床用吸込具３から集塵袋１０ａに吸引される。塵埃は集塵袋１０ａによって濾過され、塵埃を取り除いた吸引風のみが、通気孔２３を通過して電動送風機２０に吸引され、吸引気流の出口を形成したリヤカバー（図示せず）より排気され、集塵袋１０ａに塵埃が蓄積される。この時、吸引風は必ず集塵袋１０ａを通過して通気孔２３を通過するため、通気孔２３近辺に最も塵埃が付着しやすくなる。
【００３３】
図６（ａ）に示すように、通気孔２３に連通する集塵袋１０ａ部に付着した塵埃が吸引風の通過の妨げになることで、吸引力が低下し、掃除の効率が悪化する。
【００３４】
また、集塵袋１０ａ内に蓄積される塵埃は塵埃量検出手段２６を必ず通過するため、塵埃量検出手段２６により塵埃の量を検出することができる。この塵埃量検出手段２６が処理することのできる信号量としては一分間あたり２５６回のパルス処理をすることが可能であり、また、一般的に被掃除面上の塵埃のある箇所と無い箇所の割合は、１：２０であることがわかっている。これにより、通常１分間あたり２５６／２０＝１２．８カウントのパルス信号があることとなる。さらに一般的に通常使用した場合一回あたりの掃除機を動作させる時間は約１０分間で、１ヶ月使用した場合に集塵袋１０ａは満杯となる。これより１２．８×１０×３０＝３８４０カウントを塵埃量検出手段２６が塵埃を検出した場合に集塵袋１０ａ内の塵埃はほぼ満杯となることが推測される。
【００３５】
これより、通常使用の場合、図７（ａ）のようにパルスカウント数と吸引力の関係はほぼ比例関係となる。ここで集塵袋１０ａが満杯になるまでのカウント数を仮に３分割し、それぞれ集塵袋１０ａに所定の量の塵埃が蓄積したときに除塵手段２５を動作させる。この動作により、図７（ａ）のように紙パック内に塵埃が蓄積されるものが、図７（ｂ）のように除塵手段２５を動作させることによって吸引風の通過の妨げとなる集塵袋１０ａ内部表面に付着した塵埃を除塵することにより吸引力を回復させることができるようになり、集塵袋１０ａが塵埃で満杯になるまでのカウント数即ち掃除時間を延長させることができるようになる。
【００３６】
また、図７（ｃ）のように最初の除塵動作には集塵袋１０ａに蓄積した塵埃の量が少ないため振動子２７に与える振動の間隔或いは強さを少なくしても十分除塵することができるため、図４（ｃ）の制御を行い、蓄積される塵埃量が増えてくる２回目、３回目の除塵動作にはそれぞれ図４（ｂ）、図４（ｃ）のように制御内容を変え無駄な電力を使用せずに効率よく集塵袋１０ａ内の塵埃を除塵することができるようになる。
【００３７】
また、図７（ｄ）のように、除塵する回数を増加させることによってもカウント数を伸ばすことが可能となりさらに効率の良い除塵を行うことができる。
【００３８】
また、塵埃量を検出する別の手段として電流検出手段３９により検出する方法も考えられる。集塵袋１０ａ内の塵埃量と電動送風機２０に流れる電流の関係は図８に示すようになることがわかっている。前述のようにパルスカウント数の代わりに電流値により集塵袋１０ａ内の塵埃の量を推定することが可能なため、図７のカウント数を電流量としてみた場合に、前述と同様の除塵制御を行うことが可能となり、通常使用状態よりも使用時間を延長させることができるようになる。
【００３９】
またさらに、集塵袋１０ａ内に蓄積される塵埃の重量を測定する等により塵埃量を簡易的に判定することでも同様の制御を行うことができる。
【００４０】
ここで、図９に示すように、集塵部１０内に圧縮板４０と、モータやギヤ等で構成される圧縮制御手段４１を設け、前述した除塵制御との組み合わせで圧縮制御手段４１により圧縮板４０を駆動させてもよい。このとき、圧縮板４０を駆動させる際の移動量は、吸引した塵埃の量が少ない場合には集塵部１０の底面近くまで移動させ、吸引した塵埃の量が多い場合には集塵部１０の中間部程度まで移動させるよう、予め吸引した塵埃の量と圧縮板４０の移動量を実験的に確認しておき、圧縮制御手段４１により圧縮板４０を駆動させてもよいものである。
【００４１】
以上のように、効果的かつ効率的な除塵ができるとともに、無駄な電力の消費および集塵部内での塵埃の舞い上がりによる再付着を防止でき、更なる吸引力の低下を防止することができるものとなる。
【００４２】
（実施の形態２）
図１０は、本発明の第２の実施の形態における電気掃除機の制御ブロック図である。なお、第１の実施の形態と同一機能部品には同一符号を付与し説明を省略する。
【００４３】
図１０において、４２は所定の大きさの塵埃に対する出力信号を増幅する第１の増幅手段で、４３は第１の増幅手段で増幅可能な大きさよりも小さい塵埃に対する出力信号を増幅する第２の増幅手段である。塵埃感知部３７で検出された塵埃の出力信号は、塵埃の大きさ、形状により塵埃感知部３７を遮る時間が異なることとなる。即ち、塵埃の大きさによりパルスの幅が可変されることとなる。第１の増幅手段４２と第２の増幅手段４３は、そのパルス幅によりそれぞれ異なる増幅率により入力された信号を増幅し制御手段４４へ入力することで塵埃量と塵埃の大きさの検出、判断を行う。
【００４４】
電動送風機２０が動作して吸引力が発生すると、塵埃が吸引風と共に床用吸込具３から集塵袋１０ａに吸引される。塵埃は集塵袋１０ａによって濾過され、塵埃を取り除いた吸引風のみが、通気孔２３を通過して電動送風機２０に吸引され、集塵袋１０ａに塵埃が蓄積される。この時、ダニのフン、死骸、花粉などの所謂ハウスダストなど微小な塵埃も被掃除面には多量に存在しており、砂粒程度の目に見える大きさの塵埃と共に吸引されている。このハウスダストなどの微小な塵埃の大きさは約２０μｍであり、実施の形態１で考えている通常の塵埃（砂粒など）の大きさ約２００μｍの約１／１０の大きさとなる。この微小な塵埃を吸引し集塵袋１０ａ内に微小塵埃が蓄積していった場合、集塵袋１０ａの場合には、袋を構成しているの紙材の目の中に入り込み、集塵容器１０ｂの場合にはフィルター３２の目の中に入り込み、見た目で吸引したかどうかの確認は非常に困難であるが、確実に吸引風の通路を塞いでしまい吸引力を低下させてしまうことになる。
【００４５】
ハウスダスト等の微小な塵埃が、被掃除面上の塵埃のあるところと無い所の割合は、１：２０で、砂粒程度の塵埃と同じ割合であると考えた場合、図１１に示すように所定時間に第１の増幅手段４２で増幅される塵埃の量と第２の増幅手段４３で検出される塵埃の量は同じようになる。微小な塵埃も電動送風機２０の吸引風の通路を塞ぐ作用は砂粒程度の塵埃と同等かそれ以上にあると考え、除塵手段２５を駆動させるための塵埃の検出量を第１の増幅手段４２で増幅・検出された塵埃量と、第２の増幅手段４３で増幅・検出された塵埃量を合計した塵埃量とする。これにより所定時間にカウントされる塵埃の量は砂粒程度の塵埃のみで検出したときに比べて倍の速さでカウントされることになる。このように掃除を開始してから早い段階で除塵手段２５および／または圧縮手段４１を動作させることにより集塵袋１０ａに塵埃が多量に付着する前に除塵および／または圧縮を行い、より効率的な除塵や圧縮を行うことが可能となる。
【００４６】
以上のように、特に微細塵を多く吸引蓄積した場合に、効果的かつ効率的な除塵ができるとともに無駄な電力の消費および集塵部内での塵埃の舞い上がりによる再付着を防止でき、更なる吸引力の低下を防止することができるものとなる。
【００４７】
（実施の形態３）
図１２は、本発明の第３の実施の形態における電気掃除機の断面図である。なお、第１の実施の形態と同一機能部品には同一符号を付与し説明を省略する。
【００４８】
図１２において、集塵部１０内に塵埃を固める効果のある凝固剤を収納する収納部４５と、凝固剤を噴霧する噴霧手段４６を有している。図１３は制御ブロック図である。
【００４９】
以上のように構成された電気掃除機においてその動作を説明する。
【００５０】
一般に市販されている凝固剤を集塵部１０の収納手段４５に入れ、その凝固剤を集塵部１０内に向けて噴霧させる噴霧手段４６を集塵部１０内に装備させる。この状態で、塵埃量検出手段２６により吸引した塵埃の量を検出し所定の量になったときに噴霧手段４６により凝固剤を噴霧させ集塵部１０内に吸引されたハウスダストを含め塵埃を固めてしまう。これにより近傍にある微少な塵埃は集約されて固形化してある程度の大きさとなり集塵袋１０ａまたは集塵容器１０ｂのフィルター３２を目詰まりさせにくくさせる。
【００５１】
また、噴霧手段４６動作を動作させ、所定時間経過後（例えば凝固剤により塵埃がある程度固まるような時間）に除塵手段２５を動作させる。これは電気掃除機１を使用者が停止させて、電源コードを商用電源から切り離す動作をする間に、凝固剤により完全に固まった塵埃を集塵袋１０ａまたは、集塵容器１０ｂから落とすことができる為、効果的な除塵を行うこととなる。
【００５２】
また、電動送風機２０の停止時に噴霧手段４６を動作させて、本体７を使用してない間に塵埃を固形化させるとともに、集塵部１０内での塵埃の舞い上がりを防止できる。
【００５３】
以上のように、集塵部からの除塵の確実性および剥離性が向上し、除塵時における集塵部内での微細な塵埃の舞い上がりによる再付着や塵埃廃棄時における塵埃の舞い上がりを防止でき、吸引力低下の防止と衛生的な塵埃廃棄ができるものとなる。
【産業上の利用可能性】
【００５４】
以上のように、本発明にかかる電気掃除機は、効果的かつ効率的な除塵ができるとともに、無駄な電力の消費や集塵部の損傷を抑制しながら、吸引力の低下を防止することができ、家庭用、業務用の各種器具、機器、装置に適応できる。
【図面の簡単な説明】
【００５５】
【図１】本発明の実施の形態１における電気掃除機の全体斜視図
【図２】同電気掃除機本体の断面図
【図３】同除塵手段の構成図
【図４】同除塵手段の動作説明図
【図５】同電気掃除機の制御ブロック図
【図６】同集塵部内の塵埃の状態を示す概要図
【図７】同塵埃量検出手段のパルスカウント数と吸引力の関係図
【図８】同塵埃量と電動送風機に流れる電流量との関係図
【図９】同集塵部内の塵埃の状態を示す説明図
【図１０】本発明の実施の形態２における制御ブロック図
【図１１】同時間に対するパルスカウントの数の特性図
【図１２】本発明の実施の形態３における電気掃除機の断面図
【図１３】同電気掃除機の制御ブロック図
【符号の説明】
【００５６】
１０  集塵部
２０  電動送風機
２５  除塵手段
２６  塵埃量検出手段
３４  制御手段
４１  圧縮手段
４２  第１の増幅手段
４３  第２の増幅手段
４６  噴霧手段
【図１】
2007319580.tif 000003
【図２】
2007319580.tif 000004
【図３】
2007319580.tif 000005
【図４】
2007319580.tif 000006
【図５】
2007319580.tif 000007
【図６】
2007319580.tif 000008
【図７】
2007319580.tif 000009
【図８】
2007319580.tif 000010
【図９】
2007319580.tif 000011
【図１０】
2007319580.tif 000012
【図１１】
2007319580.tif 000013
【図１２】
2007319580.tif 000014
【図１３】
2007319580.tif 000015